(57)【特許請求の範囲】
【請求項１】
左右方向に延びる連結部材と、
左右方向に並べられ、前記連結部材に回動自在に支持された複数の鍵と、
前記連結部材によって互いに連結され、前記複数の鍵の上限位置および下限位置を規制するための複数のシャーシと、
を備えていることを特徴とする鍵盤楽器の鍵盤装置。
【請求項２】
前記連結部材が、すべての前記複数の鍵にわたって左右方向に延びる１個の連結部材で構成されていることを特徴とする、請求項１に記載の鍵盤楽器の鍵盤装置。
【請求項３】
前記連結部材に保持され、前記複数の鍵を離鍵位置に復帰させるようにそれぞれ付勢する複数の復帰ばねをさらに備えていることを特徴とする、請求項１または２に記載の鍵盤楽器の鍵盤装置。
【発明の詳細な説明】
【０００１】
【発明の属する技術分野】
本発明は、電子ピアノなどに用いられる鍵盤楽器の鍵盤装置に関する。
【０００２】
【従来の技術】
従来の電子ピアノの鍵盤装置では一般に、１個の金属製のシャーシ（フレーム）上に多数の鍵が左右方向に並んで取り付けられている。このシャーシには、多数の溝や孔などが形成されており、各鍵は、これらの溝および孔に係合した状態で、シャーシに揺動自在に取り付けられている。また、シャーシは、１枚の金属板（例えば鋼板）にプレス金型を用いた打ち抜き加工を施すとともに、曲げ金型を用いた曲げ加工などを施すことによって、一体に製作されている。また、金属製のシャーシに代えて合成樹脂製のシャーシを用いた鍵盤装置も知られている。このような合成樹脂製のシャーシは一般に、金型を備える射出成形機によって、一体的に射出成形されている。
【０００３】
さらに、この種の鍵盤装置には、鍵を回動自在に支持するための鍵支持部材を備えたものがあり、その場合、鍵支持部材は一般に、シャーシにねじ止めなどにより取り付けられている。
【０００４】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズにならざるを得ない。このため、シャーシの加工に使用される、プレス金型、曲げ金型および射出成形用の金型や、プレス機および射出成形機を含めた製造設備が大型になり、製造コストを大きく増大させる原因になっている。これに加えて、シャーシの試作段階において、シャーシに形成される孔や鍵ガイドの位置などが、金型の製造誤差などによってずれてしまうことがあり、これらの位置を整えるための金型調整が必要になる場合がある。この場合、金型が大型であることにより、溝や孔の位置ずれを調整すべき範囲が広くなることによって、金型の調整作業に手間がかかり、その結果、製造コストをさらに増大させるという問題がある。
【０００５】
また、鍵盤装置には、通常の８８鍵に限らず、様々な鍵数のものがある。しかし、従来の鍵盤装置では、全体として１個のシャーシを用いているため、例えば８８鍵用のシャーシの金型を、７６鍵用のシャーシの加工に転用することは不可能である。このため、鍵数の異なる鍵盤装置を製造する場合、それぞれの鍵数用のシャーシの金型を別々に製作しなければならず、製造コストが一層、増大してしまう。
【０００６】
本発明は、このような課題を解決するためになされたものであり、シャーシの製作コストの大幅な削減により製造コストを大幅に削減することができ、組立を容易に行えるとともに、鍵の支持構成に関連する部品点数の削減による製造コスト減をも図ることができる鍵盤楽器の鍵盤装置を提供することを目的とする。
【０００７】
【課題を解決するための手段】
この目的を達成するため、本発明の鍵盤楽器の鍵盤装置は、左右方向に延びる連結部材と、左右方向に並べられ、前記連結部材に回動自在に支持された複数の鍵と、前記連結部材によって互いに連結され、前記複数の鍵の上限位置および下限位置を規制するための複数のシャーシと、を備えていることを特徴とする。
【０００８】
この鍵盤楽器の鍵盤装置によれば、複数の鍵の上限位置および下限位置を規制するためのシャーシが複数に分割されていて、それらを別々に製作できるので、１つの鍵盤装置に対して１個のシャーシを製作する従来の場合と比べて、シャーシ１個当りのサイズを小型化できる。これによって、シャーシの製作に用いる、金型やプレス機などを含む製造設備を小型化できるとともに、試作段階の金型調整も容易になるので、シャーシの製作コスト、したがって、鍵盤装置の製造コストを大幅に削減することができる。
【０００９】
また、複数のシャーシが連結部材で互いに連結されるので、例えば、シャーシを楽器本体に取り付ける前に、連結部材で連結した複数のシャーシに鍵を取り付けることが可能になるなど、鍵盤装置の組立の自由度が高められる。そして、そのように、楽器本体への取付前に、例えば楽器本体外で、鍵盤装置を組み立てることによって、その組立作業、および複数のシャーシ相互間やそれらに取り付けられた鍵相互間の位置関係の調整作業などを容易に行うことができ、楽器本体にシャーシや鍵などを順次、組み込んだ場合に生じやすい鍵の表面の損傷などを回避することができる。
【００１０】
さらに、鍵が、連結部材に直接、支持されているので、そのために従来設けられていた鍵支持部材を省略でき、その分の部品点数の削減によって、製造コストをさらに削減することができる。
【００１１】
この場合、連結部材が、すべての複数の鍵にわたって左右方向に延びる１個の連結部材で構成されていることが好ましい。
【００１２】
この構成では、連結部材がすべての鍵にわたる１個の連結部材として構成されているので、複数のシャーシの組立精度などに影響されることなく、鍵の支点位置が鍵盤装置全体にわたって一様になることにより、鍵の高さ、相互間の間隔やストロークなどのばらつきが非常に小さくなり、それらの調整を極めて容易に行うことができる。
【００１３】
これらの場合、連結部材に保持され、複数の鍵を離鍵位置に復帰させるようにそれぞれ付勢する複数の復帰ばねをさらに備えていることが好ましい。
【００１４】
この構成では、復帰ばねが連結部材に保持されていて、連結部材がばね保持部材としても兼用されるので、従来のばね保持部材も省略でき、その分の部品点数の削減によって、製造コストをさらに削減することができる。
【００１５】
【発明の実施の形態】
以下、図面を参照しながら、本発明の実施形態を詳細に説明する。図１および図２は、本発明を適用した電子ピアノの鍵盤装置を示している。両図に示すように、この鍵盤装置１は、複数のシャーシ２と、複数のシャーシ２を互いに連結する前後の連結部材４、５と、後連結部材５に回動自在に取り付けられた複数の鍵３と、後連結部材５に保持され、鍵３を離鍵位置に復帰させる復帰ばね６と、を備えている。
【００１６】
複数のシャーシ２は、棚板７上に左右方向に並べられており、中央の７個（図１には２個のみ図示）のシャーシと、図示しない最低音部用および最高音部用のシャーシの、計９個のシャーシで構成されている。このうち、中央の７個のシャーシ２は、互いに同じ寸法および形状を有しており、各シャーシ２に、１オクターブ分の鍵３、すなわち７個の白鍵３ａおよび５個の黒鍵３ｂから成る計１２個の鍵３が取り付けられている。また、最低音部用および最高音部用のシャーシには、最低音部の３個の鍵３および最高音の１個の鍵３がそれぞれ取り付けられている。このように、鍵盤装置１は、全部で８８個の鍵３を備えている（図１には２オクターブ分のみ図示）。
【００１７】
中央の７個のシャーシ２はそれぞれ、同じ金型で製作された、例えばＡＢＳ樹脂の射出成形品で構成され、矩形の平面形状を有している。図２に示すように、シャーシ２の下面には、棚板７への取付用の３つのボス２ａ、２ａ、２ａが、下方に同じ長さで突出し且つ前後方向（図２の左右方向）に１列に等間隔に並ぶように、形成されている。これら１列のボス２ａは、シャーシ２の左右端部にそれぞれ設けられている（１列のみ図示）。各ボス２ａには、補強用の４つのリブ２ｂが前後左右に延びるように一体に形成されている（３つのみ図示）。また、シャーシ２の下面には、前側および中央のボス２ａ、２ａの中間に、前連結部材４を取り付けるためのボス２ｃが下方に突出して形成されている。
【００１８】
一方、最低音部用および最高音部用のシャーシはそれぞれ、上記シャーシ２用の金型に入子型を用いることによって、Ｖ字形の溝付きのシャーシを射出成形し、この溝付きシャーシを溝に沿って切断することにより、製作されている。
【００１９】
以上の計９個のシャーシ２は、前後の連結部材４、５によって互いに連結されている。これらの連結部材４、５はそれぞれ、シャーシ２の左右方向の全体に渡る長さの細長い１本のアングル状のものであり、例えばアルミ合金の押出成形品で構成されている。前連結部材４は、図２に示すように、水平な取付部４ａと、その前端から上方に延びる鉛直部４ｂとにより、断面Ｌ字状に形成されており、シャーシ２の中央よりも若干前側に配置され、取付部４ａの部分で、各シャーシ２の左右端部に形成した前記ボス２ｃに、下方からねじ８で固定されている（図１参照）。
【００２０】
一方、後連結部材５は、水平な取付部５ａと、その後端から上方に垂直に延びるばね保持部５ｂと、取付部５ａの前端から前側上方に斜めに延びる鍵支持部５ｄとによって、構成されている。後連結部材５は、シャーシ２の後端部に配置され、取付部５ａの部分で、各シャーシ２の上面の左右端部のボス２ａに相当する位置に、上方からねじ９で固定されている。
【００２１】
また、後連結部材５の鍵支持部５ｃの前端部は、Ｒ状に湾曲した回動支点５ｅになっており、この回動支点５ｅに、鍵３が後述するようにして回動自在に支持されている。さらに、ばね保持部５ｂには、コイルばね状の復帰ばね６の一端部を保持するための複数の係合孔５ｃが、鍵３に対応して形成されている。
【００２２】
鍵３（白鍵３ａおよび黒鍵３ｂ）はそれぞれ、例えばＡＢＳ樹脂の射出成形品で構成されており、以下、白鍵３ａを例にとり、その構成を説明する。白鍵３ａの後端部には、後方に開放したほぼ円形の軸穴１０が形成されており、白鍵３ａは、その軸穴１０が後連結部材５の回動支点５ｅに係合することによって、後連結部材５に回動自在に支持されている。また、白鍵３ａの上面後端部には、係合突部１２が形成されており、後連結部材５の係合孔５ｃに係合し、保持された復帰ばね６の他端部を、この係合突部１２に係合させることによって、白鍵３ａが常時、離鍵方向に付勢され、離鍵位置に復帰するようになっている。
【００２３】
また、白鍵３ａの前部には、フック状のストッパ部３ｃが形成されており、このストッパ部３ｃは、シャーシ２の孔２ｄを通って下方に突出している。一方、シャーシ２の上面および下面には、ゴム製の下限ストッパ２ｅおよび上限ストッパ２ｆが、それぞれ取り付けられている。このような構成により、白鍵３ａは、ストッパ部３ｃが上限ストッパ２ｆに当接する斜め後ろ下がりの離鍵位置（図２に示す位置）と、白鍵３ａの下面が下限ストッパ２ｅに当接する押鍵位置（図示せず）との間で、回動可能であり、常時は、復帰ばね６の付勢力によって離鍵位置に位置している。
【００２４】
さらに、シャーシ２の前端部には、白鍵３ａのストッパ部３ｃに相当する位置に、鍵ガイド２ｇが立設されており、白鍵３ａは、その回動時に、この鍵ガイド２ｇによって、左右方向にぶれないように案内される。
【００２５】
また、シャーシ２の中央部には、鍵３の押鍵状態を検出するための鍵スイッチ１３が設けられている。この鍵スイッチ１３は、シャーシ２にねじ止めされたプリント基板１４（以下「基板」という）と、その上面に設けられたスイッチ本体１５とを備えている。スイッチ本体１５は、シャーシ２に形成した孔２ｈを介して上方に突出するとともに、基板１４を介して、電子ピアノの発音を制御する制御装置（図示せず）に接続されている。一方、白鍵３ａの中央部には、下方に突出するアクチュエータ部３ｄが形成されており、このアクチュエータ部３ｄは、白鍵３ａが離鍵位置にあるときに、スイッチ本体１５に若干の間隙をもって上方から臨んでいる。そして、白鍵３ａが押鍵されるのに伴い、そのアクチュエータ部３ｄがスイッチ本体１５を押下し、オン動作させることによって、白鍵３ａの押鍵状態が検出され、その検出結果に応じて、制御装置が電子ピアノの発音を制御するようになっている。
【００２６】
白鍵３ａは、以上のように構成されており、説明は省略するが、黒鍵３ｂも白鍵３ａとほぼ同様に構成されている。
【００２７】
以上の構成の鍵盤装置１は、例えば、複数のシャーシ２を前後の連結部材４、５で互いに連結し、後連結部材５の回動支点５ｅに鍵３を取り付け、さらに、鍵３の係合突部１２と後連結部材５の係合孔５ｃとの間に復帰ばね６を取り付けることなどにより組み立てられ、さらにシャーシ２相互間や鍵３相互間の位置関係の調整を終えた後、棚板７に取り付けられる。この取付は、各シャーシ２に形成した前記ボス２ａと、これに対応して棚板７に形成された図示しない孔とを介して、ねじ止めによって行われる（図示せず）。なお、この棚板７は、アルミ合金の押出成形品などで構成されている。
【００２８】
以上のように構成された本実施形態の鍵盤装置１によれば、鍵３を取り付けるためのシャーシが、１オクターブ分用の７個のシャーシ２と、最低音部用および最高音部用の２個のシャーシとに分割構成されているので、シャーシ２の製造に用いる、射出成形用の金型や射出成形機を含めた製造設備を小型化できる。また、金型の小型化によって、試作段階の金型調整も容易になる。したがって、シャーシ２の製作コストを大幅に削減でき、鍵盤装置１の製造コストを大幅に削減することができる。
【００２９】
また、複数のシャーシ２が前後の連結部材４、５で互いに連結されるので、前述したように、シャーシ２を棚板７などに取り付ける前に、連結部材４、５で連結した複数のシャーシ２に鍵を取り付けることが可能になるなど、鍵盤装置１の組立の自由度が高められる。そして、そのように、棚板７への取付前に、例えば楽器本体外で、鍵盤装置１を組み立てることによって、その組立作業、および複数のシャーシ２相互間やそれらに取り付けた鍵３相互間の位置関係の調整作業などを容易に行うことができ、棚板７にシャーシ２や鍵３などを順次、組み込んだ場合に生じやすい鍵３の表面の損傷などを回避することができる。
【００３０】
さらに、鍵３が、後連結部材５に直接、支持されているので、そのために従来設けられていた鍵支持部材を省略でき、その分の部品点数の削減によって、製造コストをさらに削減することができる。また、この後連結部材５がすべての鍵３にわたる１個の連結部材として構成されているので、複数のシャーシ２の組立精度などに影響されることなく、鍵３の支点位置が鍵盤装置１全体にわたって一様になることにより、鍵３の高さ、相互間の間隔やストロークなどのばらつきが非常に小さくなり、それらの調整を極めて容易に行うことができる。
【００３１】
さらに、鍵３を離鍵位置に復帰させる復帰ばね６が、後連結部材５に保持されていて、後連結部材５がばね保持部材としても兼用されるので、従来のばね保持部材も省略でき、その分の部品点数の削減により、製造コストをさらに削減することができる。
【００３２】
なお、本発明は、説明した実施形態に限定されることなく、種々の態様で実施することができる。例えば、実施形態では、鍵３の後端部を後連結部材５で支持するようにしているが、鍵の中央部を支持するタイプの鍵盤装置の場合に、鍵を支持すべき付近に連結部材を配置して、鍵を支持するようにしてもよいことはもちろんである。
【００３３】
また、実施形態は、本発明を電子ピアノに適用した例であるが、本発明は、これに限らず、他の電子楽器（例えばシンセサイザなど）や、アコースティックタイプの鍵盤楽器に適用することも可能である。その他、本発明の趣旨の範囲内で、細部の構成を適宜、変更することが可能である。
【００３４】
【発明の効果】
以上の詳述したように、本発明の鍵盤楽器の鍵盤装置は、シャーシの製作コストの大幅な削減により製造コストを大幅に削減することができ、組立を容易に行えるとともに、鍵の支持構成に関連する部品点数の削減による製造コスト減をも図ることができるなどの効果を有する。
【図面の簡単な説明】
【図１】本発明の一実施形態による電子ピアノの鍵盤装置の平面図である。
【図２】図１の鍵盤装置の側断面図である。
【符号の説明】
１  鍵盤装置
２  シャーシ
３  鍵
４  前連結部材
５  後連結部材
５ｃ  係合孔
５ｅ  回動支点
６  復帰ばね
１０  軸穴
１２  係合突部
【図１】
0003676570.tif 000002
【図２】
0003676570.tif 000003